(57)【要約】データ伝送システムは、無線メッセージ伝送が可能なクラスタとして相互に接続された第１ビーコン装置（１２）及び２つ以上の第２ビーコン装置（１３，１４，１５）と、このようなメッセージ伝送を受け取ることができる少なくとも１つの移動体装置（１０）とを有する。第１ビーコン（１２）は、ブルートゥースのような第１通信プロトコルに従い一連の問合せメッセージ（ＩＮＱ）を伝送するように構成されている。移動体装置（１０）はこのような問合せメッセージを検出し、その装置自身の識別子を伴って応答する。次に、第１ビーコン装置からのリンク（Ａ）は、第２ビーコン装置のうちの選択された一つのビーコン装置（１４）との間に再び確立される。ハンドオーバ起動状況が発生するとき、ページング及びページ応答メッセージは、他の第２ビーコン装置（１３）を選択し、それに通信リンク（Ｃ）を転換するために用いられる。
2004509558.tif 000002
【特許請求の範囲】
【請求項１】
移動体データ処理装置のユーザが、無線メッセージ伝送が可能な第１ビーコン装置と複数の第２ビーコン装置とを含むビーコン装置のクラスタとのサービス対話を実行するのを可能にする方法であって、
前記第１ビーコンが第１通信プロトコルに従い一連の問合せメッセージを放送するステップ、
前記ユーザの移動体装置が、前記問合せメッセージを検出すると、前記移動体装置の識別子を伴って応答するステップ、
前記第１ビーコン装置が、受信された識別子を選択された第２ビーコン装置に送信するステップ、
前記選択された第２ビーコン装置及び前記移動体装置は、前記移動体装置の識別子を受信した前記第２ビーコンにより起動されるとき、前記サービス対話の実行のために通信リンクを確立するステップ、及び、
ハンドオーバ起動状況が発生したら、前記選択された第２ビーコン装置及び前記移動体装置のうちの少なくとも１つによって決定されるとき、他の第２ビーコン装置が選択され、前記移動体装置への前記通信リンクが、最初に選択された第２装置から、前記選択された他の第２ビーコンに転換されるステップを有する方法。
【請求項２】
前記通信リンクを転換するステップは、第１通信リンクと並列に第２通信リンクを確立するステップと、前記２つの通信リンクのうちのいずれが良好な結果をもたらすかを所定の規準に従って選択するステップと、前記他の第２ビーコン装置とのリンクが前記良好な結果をもたらす場合にのみ前記リンクを前記他の第２ビーコン装置へ転換するとともに、前記良好な結果をもたらさないリンクを切断するステップとを含むことを特徴とする請求項１に記載の方法。
【請求項３】
前記第２通信リンクを確立するステップは、既存の通信リンクから前記データ経路を複写することを含む請求項２に記載の方法。
【請求項４】
前記通信リンクを転換するステップは、既存の通信リンクの切断で始まり、他の第２ビーコン装置を選択し、前記他の第２ビーコン装置との新しい通信リンクを確立し、データ経路を前記新しい通信リンクに切り替える請求項１に記載の方法。
【請求項５】
前記他の第２ビーコン装置は、前記複数の第２ビーコン装置のうちの少なくともいくつかのビーコン装置からのページングメッセージの伝送の後に選択され、応答メッセージは前記移動体装置によって送信される請求項２又は４に記載の方法。
【請求項６】
送信されたメッセージにおいて検出された誤りが所定のレベルを越えるとき、ハンドオーバ起動状況が発生する請求項１乃至５のうちのいずれか１項に記載の方法。
【請求項７】
ビーコン装置又は移動体装置の一方で受け取ったメッセージのＳＮ比が所定のしきい値レベルを越えるときハンドオーバ起動状況が発生する請求項１乃至５のうちのいずれか１項に記載の方法。
【請求項８】
ビーコン装置又は移動体装置の一方で受け取った信号の強度が所定のしきい値レベル以下に低下するとき、ハンドオーバ起動状況が発生する請求項１乃至５のうちのいずれか１項に記載の方法。
【請求項９】
無線メッセージ伝送が可能なクラスタとして相互接続された第１ビーコン装置及び２つ以上の第２ビーコン装置と、前記無線メッセージ伝送を受信することが可能な少なくとも１つの移動体装置とを有するデータ伝送システムであって、前記第１ビーコンは、第１通信プロトコルに従い一連の問合せメッセージを放送するように構成され、前記少なくとも１つの移動体装置は、前記問合せメッセージを検出し、前記移動体装置の識別子を伴って応答し、前記第１ビーコン装置は、前記２つ以上の第２ビーコン装置のうちの選択されたビーコン装置に受信した識別子を送信するように構成され、前記選択された第２ビーコン装置及び前記移動体装置は、前記移動体装置の識別子を受信する前記選択された第２ビーコンにより起動されるときサービス対話を実行するように構成され、前記選択された第２ビーコン装置及び前記移動体装置のうちの少なくとも１つは、ハンドオーバ起動状況が発生するときに識別し、検出したら、他の第２ビーコン装置を選択し、初めに選択された第２ビーコン装置から前記他の第２ビーコン装置に通信リンクを転換するように構成されたデータ伝送システム。
【請求項１０】
前記データ伝送システムが、システムが第１通信リンクと同時に第２通信リンクを確立するように構成され、所定の条件に従って前記２つの通信リンクのうちのどちらが良好な結果を与えるかを決定する手段を含み、前記手段は、前記他の第２ビーコン装置へのリンクが前記良好な結果を与えるときは前記他の第２ビーコン装置にリンクを転換し、前記良好な結果を与えないときは前記他の第２リンクを切断する請求項９に記載のデータ伝送システム。
【請求項１１】
前記データ伝送システムが、既存の通信リンクの切断を取り止めるとき、他の第２ビーコン装置を選択するように構成され、前記他の第２ビーコン装置への新しい通信リンクを確立し、データ経路を前記新しい通信リンクに切り替えるように動作可能な手段を含む請求項９に記載のシステム。
【請求項１２】
前記第１通信プロトコルはブルートゥースメッセージを有する請求項９乃至１１のうちのいずれか１項に記載のシステム。
【請求項１３】
請求項９の通信システムにおいて使用される通信インフラストラクチャであって、前記インフラストラクチャは、前記少なくとも１つの移動体装置への無線メッセージ伝送が可能な相互に接続された第１ビーコン装置及び２つ以上の第２ビーコン装置を有し、前記第１ビーコンは、第１通信プロトコルに従い一連の問合せメッセージを送り、前記移動体装置の移動体装置識別子を含む如何なる応答メッセージをも検出するように動作可能であり、前記第１ビーコン装置は、前記２つ以上の第２ビーコン装置のうちの選択された一つのビーコン装置に、受信した識別子を送信するように構成され、前記選択された第２ビーコン装置は、前記移動体装置識別子を受信する前記選択された第２ビーコンにより起動されるとき移動体装置とサービス対話を実行するように構成され、前記選択された第２ビーコン装置は、ハンドオーバ起動状況が発生するときに識別し、検出したら、他の第２ビーコン装置を選択し、初めに選択された第２ビーコン装置から前記他の第２ビーコン装置に通信リンクを転換するように構成された通信インフラストラクチャ。
【請求項１４】
前記第１ビーコン装置と前記第２ビーコン装置との間の相互接続は、暗号化データチャネルを有する請求項１３に記載の通信インフラストラクチャ。
【請求項１５】
ハンドオーバ状況が発生したら、
現リンクが確立されているビーコンに近いビーコンからページングメッセージを送出するステップ、
前記第２ビーコンにおけるページング応答を受信したら、前記第２ビーコンへの第２データリンクを構築するステップ、
所定の基準に従って、前記２つのリンクのうちのより良好な品質のリンクを識別するステップ、及び
前記２つのリンクのうちのより品質の悪いリンクを切断するステップ、
を実行するように構成された請求項１３に記載の通信インフラストラクチャ。
【請求項１６】
前記第２ビーコンに対する既存の通信リンクの解放時に、
解放された前記リンクが確立されていたビーコンの近くのビーコンからページングメッセージを送出するステップと、
前記第２ビーコンにおけるページング応答の受信時に、前記第２ビーコンへの第２データリンクを確立するステップとを実行するように構成された通信インフラストラクチャ。
【請求項１７】
請求項９に記載されたデータ伝送システムに使用される移動体装置であって、前記移動体装置が、ハンドオーバ状況の発生時に、
ページングメッセージに対して走査をするステップ、
受信したページングメッセージに基づいて、送信ビーコンを選択し、前記送信ビーコンにページ応答を送信するステップ、
前記送信ビーコンへの第２リンクを構築するステップ、
所定の基準に従って、前記既存の通信リンクと前記第２通信リンクのうちのどちらが最良の品質を提供するかを決定するステップ、及び
前記既存の通信リンクと前記第２通信リンクとのうちの品質の悪い通信リンクを解放するステップを実行するように構成された移動体装置。
【発明の詳細な説明】
【０００１】
【発明の属する技術分野】
本発明は、ネットワーク化データ配信及び／又は伝送ビーコンの１個又は数個の群又はクラスタと対話する１台又は複数台の移動体データ処理又は通信装置を有するデータ配信及び通信システムに関する。
【０００２】
【従来の技術】
固定装置と対話する移動体データ処理装置の一例が米国特許第５，８３５，８６１号に記載されている。この公報には、ビーコンとともに無線電話を電子宣伝看板の形態で使用することについて記載されている。無線電話のユーザは、自身の無線電話を能動宣伝源に対してプロンプト信号を送信し、該宣伝源から宣伝販売者の電話番号を含むような応答信号を受信するように作動させることによって、該販売者の電話番号を得る。次いで、該電話番号は、公衆交換電話網を介して上記販売者に自動的に発呼するように使用することができる。他の例として、その電話番号は後で使用するために記憶することもできる。このような装置は、その電話番号を記憶すること又はその電話番号を書きとめることのいずれをしなくてもベンダに発呼するために用いることができる。上記看板と発呼者との間の信号は変調された赤外線（ＩＲ）信号として送信されることができる。
【０００３】
斯かる移動体データ処理装置又は通信装置に対して要求される重要なことは、移動体装置とビーコンとのコンタクトを確立している間ユーザにビーコンの近くにとどまる等の行動をさせる必要がなく、とりわけ対話を始めなければならないことも無いようにビーコンからのデータをすばやく且つ効率的に収集することである、ということが理解される（上記米国特許第５，８３５，８６１号のシステムの場合と同様である）。
【０００４】
我々の出願係属中の英国特許出願第００２０１０１．２号（出願人整理番号；ＰＨＧＢ０００１１２）に記載されているように、無線ビーコンを実現するための現在の方法論では、装置を発見しその後にその装置を用いて情報の実際の送信を始めるという２段階の接続プロセスを実行する。このようなシステムを構築するために有効な技術／プロトコルのうちの１つであるブルートゥースは、送信が起こる前に、上記の発見の段階が完了することを必要とする。動的な移動環境で用いられるとき、しばしば、このプロセスにかかる時間は装置が有効範囲内に存在する実際の時間よりも長く、情報がクライアントに届かないことが生じる。
【０００５】
クライアントの移動及びビーコンの一般的に狭い有効範囲のため、データ配信システムは、典型的にはビーコンのネットワーク化されたクラスタ（又はいくつかのクラスタ）を通じて提供される。クライアントがある任意のビーコンの範囲から外れてしまい全てのサービス情報は受信しない可能性が依然として存在するため、結果として、実行されるべき重要なトランザクションに必要な時間ではない。
【０００６】
【発明が解決しようとする課題】
従って、本発明の目的は、ビーコンを通じたデータの配信のためのシステムを提供する。このシステムによれば、第１ビーコンと移動体装置との間の確立されたリンクの、第２ビーコン又は他のビーコンと移動体装置との間への転換が、比較的簡単であり且つ移動体装置上での過渡な電力消費が無い。
【０００７】
【課題を解決するための手段】
本発明の第１の態様によれば、移動体データ処理装置のユーザが、無線メッセージ伝送が可能な第１ビーコン装置と複数の第２ビーコン装置とを含むビーコン装置のクラスタとのサービス対話を実行するのを可能にする方法であって、
前記第１ビーコンが第１通信プロトコルに従い一連の問合せメッセージを放送するステップ、
前記ユーザの移動体装置が、前記問合せメッセージを検出すると、前記移動体装置の識別子を伴って応答するステップ、
前記第１ビーコン装置が、受信された識別子を選択された第２ビーコン装置に送信するステップ、
前記選択された第２ビーコン装置及び前記移動体装置は、前記移動体装置の識別子を受信した前記第２ビーコンにより起動されるとき、前記サービス対話の実行のために通信リンクを確立するステップ、及び、
ハンドオーバ起動状況が発生したら、前記選択された第２ビーコン装置及び前記移動体装置のうちの少なくとも１つによって決定されるとき、他の第２ビーコン装置が選択され、前記移動体装置への前記通信リンクが、最初に選択された第２装置から、前記選択された他の第２ビーコンに転換されるステップを有する方法が提供される。
【０００８】
前記通信リンクを転換するステップは、第１通信リンクと並列に第２通信リンクを確立するステップと、前記２つの通信リンクのうちのいずれが良好な結果をもたらすかを所定の規準に従って選択するステップと、前記他の第２ビーコン装置とのリンクが前記良好な結果をもたらす場合にのみ前記リンクを前記他の第２ビーコン装置へ転換するとともに、前記良好な結果をもたらさないリンクを切断するステップとを含むことが好ましい。前記第２通信リンクを確立するステップは、既存の通信リンクから前記データ経路を複写することを含むことができる。
【０００９】
その代わりに、前記通信リンクを転換するステップは、既存の通信リンクの故意又は不本意の切断で始まり、他の第２ビーコン装置を選択し、前記他の第２ビーコン装置との新しい通信リンクを確立し、データ経路を前記新しい通信リンクに切り替えてもよい。
【００１０】
上記の方法のいずれにおいても、前記他の第２ビーコン装置は、前記複数の第２ビーコン装置のうちの少なくともいくつかのビーコン装置からのページングメッセージの伝送の後に選択され、続いて応答メッセージが前記移動体装置によって送信されることができる。
【００１１】
上記のハンドオーバ起動状況は、送信されたメッセージにおいて検出された誤りが所定のレベルを越えるとき、ビーコン装置又は移動体装置の一方で受け取ったメッセージのＳＮ比が所定のしきい値レベルを越えるとき、ビーコン装置又は移動体装置の一方で受け取った信号の強度が所定のしきい値レベル以下に低下するとき、生じるようにすることが考えられる。
【００１２】
本発明によれば、無線メッセージ伝送が可能なクラスタとして相互接続された第１ビーコン装置及び２つ以上の第２ビーコン装置と、前記無線メッセージ伝送を受信することが可能な少なくとも１つの移動体装置とを有するデータ伝送システムであって、前記第１ビーコンは、第１通信プロトコルに従い一連の問合せメッセージを放送するように構成され、前記少なくとも１つの移動体装置は、前記問合せメッセージを検出し、前記移動体装置の識別子を伴って応答し、前記第１ビーコン装置は、前記２つ以上の第２ビーコン装置のうちの選択されたビーコン装置に受信した識別子を送信するように構成され、前記選択された第２ビーコン装置及び前記移動体装置は、前記移動体装置の識別子を受信する前記選択された第２ビーコンにより起動されるときサービス対話を実行するように構成され、前記選択された第２ビーコン装置及び前記移動体装置のうちの少なくとも１つは、ハンドオーバ起動状況が発生するときに識別し、検出したら、他の第２ビーコン装置を選択し、初めに選択された第２ビーコン装置から前記他の第２ビーコン装置に通信リンクを転換するように構成されたデータ伝送システムも提供される。好適実施例では、上記第１通信プロトコルはブルートゥースメッセージを有する。
【００１３】
更に本発明によれば、請求項に記載されているような、上記の通信システムに使用される通信インフラストラクチャ及びその通信システムに使用される移動体装置も提供される。斯かる請求項の開示は参照することにより本明細書に組み込まれると共に、読者は斯かる請求項に指向される。本発明の他の特徴及び利点は添付請求項にも記載され、斯かる請求項の開示は参照することにより本明細書に組み込まれると共に、読者は斯かる請求項に指向される。
【００１４】
本発明の好適実施例が例を通じて添付された図面に関して記載されている。
【００１５】
【発明の実施の形態】
以下の記載では、１つの又は一連のビーコンから（電話又はＰＤＡ等の）携帯装置へのメッセージの通信のためのブルートゥースプロトコルを利用するシステムについて特に考察するが、理解されるように、本発明はブルートゥース装置に限定されず、とりわけ周波数ホッピングシステム等の他の通信装置にも適用できる。
【００１６】
図１は、暗号化データチャネル１１によって相互に接続された低消費電力で狭い範囲の基地局のクラスタ即ちビーコン１２，１３，１４，１５を使用した、移動電話１０の形式における携帯データ処理装置の概略ブロック図である。これらのビーコンの一つ以上は、以下に記載するように、いわゆるハンドオーバ状況がいつ行われるかを決定することができるデータ処理回路及び／又は制御論理回路１３Ａ，１４Ａを含むことができる。斯様な配置は、ビーコンが移動体装置に情報キーをダウンロードすることにより、ローカルな地図、最寄りの商店に関する情報、レストラン、展示等の地域固有の情報を提供するためにショッピングモール又は美術館のような場所で使用することができる。情報キーは、完全な情報源に対する参照を提供するような小さなデータオブジェクトであって、多数の所定のフィールドの形態であり、これらフィールドの１つはユーザに提示される短い説明文（記述的テキスト）を含むであろう。他のフィールドは、例えばＵＲＬ又は電話番号等の他のデータ源に対するポインタ又は（何らかの形態の）アドレスであろう。他の補足的フィールドは、当該データがユーザに対してどの様に提示されるか、及び上記アドレスをどの様に利用することができるかを制御することができる。通常、ビーコンは多数のこれらのキーを巡回的に放送し、各キーは典型的には異なるサービスに関係する。もっとも、認識されるように、適切なキーを待つということは、或る場合には、時間の掛かる仕事であり得る。
【００１７】
ユーザの移動体装置１０は、メッセージの受信及び送信のための送受信段１８に結合されるアンテナ１６を有する。送出メッセージは、マイクロフォン２０及びＡ／Ｄ変換器２２を通じた音声入力又はキーパッド即ち他の入力手段２４を通じた別のデータ入力のいずれかをユーザが電話に入力する結果生じる。これらの入力は、送受信段１８に供給される前に、信号及びデータ処理段２６によりメッセージデータフォーマット処理され、符号器２８によって送信フォーマットに変換される。
【００１８】
アンテナ１６及び送受信器１８を通じて受け取ったメッセージは、復号段３０を経由してフィルタリング及び信号処理段３２に伝送される。メッセージが坦持するデータを電話の表示画面３４上に呈示する場合、そのデータは、必要であればバッファリング装置３８を経由して表示ドライバ３６に伝送され、そのドライバ３６は表示画像をフォーマットする。認識されるように、表示部３４は比較的単純な解像度の低い装置とすることができ、受信データの表示データへの変換は、専用の表示ドライバ段を必要とせずに、処理段３２の機能の一部として実行することができる。
【００１９】
当該メッセージがビーコン１４のうちの１つからのデータを伝送している場合、上記電話は受信された情報を事前記憶された（４０）ユーザの好みに基づいてフィルタ処理する能力を有し、ユーザは、記憶された好みデータと当該メッセージ内の主題指示子との間の比較が特別に興味のあるデータ項目が受信されたことを示す場合にのみ警告される（即ち、当該情報のみがバッファ３８に保持され及び／又はスクリーン３４上で提示される）。
【００２０】
通常のオーディオメッセージの場合、オーディオデータはフィルタ及び処理段３２により、Ｄ／Ａ変換器４２及び増幅器４４を介してイヤホン又はスピーカ４６へと出力される。電話ネットワーク４８からの斯様なメッセージの受信が、矢印５０により示されている。即ち、電話ネットワーク４８は、電話１０から広域ネットワーク（ＷＡＮ）サーバ５２へ、及びＷＡＮ５４（インターネットであり得る）を介して、該電話１０に対してデータ源を提供するような１以上の遠隔サービス提供者５６へのリンクも提供する。
【００２１】
移動体装置即ちクライアント装置（電話１０）とビーコン１２乃至１５との間の通信は、２つの形式、即ち‘プッシュ’及び‘プル’で行われる。‘プッシュ’モードでは、問合せ情報は、ビーコン１２によって、符号６０で示される短い‘キー’の形式で全ての携帯端末１０に伝送される。電話１０は、第１ビーコン１２に自身の識別子を送ることにより問合わせキーに応答し、次に、第２ビーコンのうちの選択されたビーコン１４と対話をし、その一方で第１ビーコン１２は問合わせキーを伝送しつづける。
【００２２】
しばしば、ユーザは、キーに含まれる以上の情報を得ることを望む。ここで、‘プル’モードでは、ユーザがサーバ５６との通信を確立し且つ端末１０にプルダウンする情報を積極的に要求することが可能である。従って、このモードは、典型的には対話型である。
【００２３】
上記のように、１つのビーコン１２は‘問合せ’ビーコンとしてラベリングされ、ブルートゥースの問合せメッセージを絶えず送出する。他のビーコン１３，１４，１５は‘対話器’としてラベリングされ、要求があれば端末１０と１対１で通信することが可能である。ここで、問合せ手順は、問合わせビーコン１２によって行われ、ページング手順は１つ以上の対話器ビーコン１４によって行われる。このように機能を委任することによって、上記のやり方でなければピコネットに加わろうとして損失するであろう時間をかなり節約することができる。
【００２４】
（Ｂにおいて認識される）問合わせビーコン１４との通信リンクが活性化している間に電話１０は移動し、電話１０は有効範囲からある程度外れてしまう。バンドオーバしなければならない通信リンクに適している他のビーコンを識別するため、ハンドオーバ状況が行われると、ページングメッセージ及びそれに対する応答を用いて、適した他の対話型ビーコン１３を識別する。
【００２５】
音声トラヒック及び理想的にはＡ／Ｖリンクに対して、ハンドオーバは、ユーザには気付かれないシームレスのやり方で行われなければならず、このやり方を達成する最適な方法は、古いリンクをなくしてしまう前に新リンクを確立して一時的に２つのリンクを同時に活性化することである。（多分双方向的な）データストリームがリンク全体で並列に実行され、一方で、（信号強度、誤り率又はＳＮ比等の所定の品質基準に従って）最適なリンクが識別される。その識別に従って、より良好な品質のリンクが維持され、品質の悪いリンクは解放される。
【００２６】
図２のフローチャートは、移動体装置１０における手順の一例を示す。この手順は、以下のステップを有する。
・　ページメッセージを走査するステップ１００。
・　最良のセルを選択するステップ１０２及びページ応答を送出するステップ１０４。
・　第２リンク（図１のＣ）を確立するステップ１０６。
・　新リンク上にデータ経路を複写するステップ１０８。
・　２つのリンクの品質を比較するステップ１１０。
・　より良好なリンクを選択するステップ１１２又は１２２、主装置（マスタ）に通知するステップ１１４、悪いリンクからデータ経路をオフするステップ１１６又は１２４。
・　悪いリンクを解放するステップ１１８又は１２６及び終了１２０。
ビーコンのクラスタに関するための手順が図３のフローチャートに示されている。この手順は、以下のステップを有する。
・　現セルを除き当該クラスタ内又は近傍のクラスタにおける全てのセルにおいてページメッセージ（ハンドオーバを示す）を送出するステップ１４０。
・　ページ応答の受信をチェックし、応答が無い場合は待つステップ１４２、１４４。
・　ページ応答を受領したら、第２リンクを確立するステップ１４６。
・　新リンク上にデータ経路を複写するステップ１４８。
・　移動体装置１５０から最悪のリンクの識別子を得る（又はそれ以外では確立する）ステップ１５０。
・　最悪リンクからデータ経路をオフするステップ１５２。
・　最悪リンクを解放するステップ１５４。
【００２７】
最良／最悪の品質のリンクを識別するための比較は、従属（スレーブ）端末の代わりにシステムの主（マスタ）局によって実行することができるが、特定の時間内で行われるべきである。リンク解放はいずれか一方の側で開始され、一旦決定がなされるともう一方の側にその決定が通信される。必要であれば、十分なチャネルが得られるまで、全手順を繰り返すことができる。
【００２８】
データの呼出しは通常、シームレスハンドオーバを必要とせず、従って、新リンクを確立する前に古いリンクを解放することが可能である。音声又はＡ／Ｖリンクが不本意に切断するときに、シームレスではないハンドオーバが生じてもよい。この手順は一般的には、端末において以下のような一般的な（しかし拘束するものではない）手順が用いられ、より単純になる（図４のフローチャート参照）。
・　古いリンクを解放する（システムにより指令される、又は不本意、即ち通信経路を失うことによるものであり得る）ステップ１６０。
・　ページメッセージを走査するステップ１６２。
・　最良セルを選択するステップ１６４及びページ応答を送出するステップ１６６。
・　新リンクを確立するステップ１６８。
・　データ経路を新リンクに切り替えるステップ１７０。
ビーコンネットワークの対応する手順は、以下の通りである（図５のフローチャートを参照）。
・　古いリンクを解放するステップ１８０（上記のように、システムにより指令される、又は不本意であり得る）。
・　現セルを除き当該クラスタ内又は近傍のクラスタにおける全てのセルにおいてページメッセージを送出するステップ１８２。
・　ページ応答の受信を待つステップ１８４、１８６。
・　ページ応答が受信されたら新リンクを確立するステップ１８８。
・　データ経路を新リンクに切り替えるステップ１９０。
【００２９】
ハンドオーバ手順は、ハンドオーバ状況が発生していることが決定されたら何れかの側により起動することができる。シームレスハンドオーバは、通常、固定ビーコン（マスタ）又は携帯装置（スレーブ）の何れかにより測定されるリンク品質の低下により起動されるであろう。マスタは、図３を基準にして記載した手順をネットワークに開始させるために、固定されたネットワークに要求を送出することができる。次に、そのマスタは、ダウンリンクにおいて幾つかの手段によってスレーブに知らせる、又はスレーブがページメッセージを走査すると仮定する。スレーブが低品質のリンクを検出する場合、スレーブはアップリンク内にハンドオーバ要求を送出する又は｛リンクハンドオーバ要求｝を構成するメッセージ理由フィールド（この詳細は、“Ｌｏｗ ｌｅｖｅｌ Ｍｏｂｉｌｉｔｙ Ｍａｎａｇｅｍｅｎｔ Ｐｒｏｃｅｄｕｒｅｓ”という名称の同時係属出願の英国特許出願第００２３１８２．９号に記載されている）を用いて問合せ応答メッセージを問合せビーコンに送出することができる。
【００３０】
不本意なリンクの損失によって、固定されたネットワークに、自動的に又は問合せ応答｛リンクハンドオーバ要求｝メッセージをスレーブ端末から受け取ったときに、図５の手順を開始させることができる。意図的な非スリーブレスハンドオーバは、｛リンクハンドオーバ｝を構成する理由によってリンク解放を発するいずれかの側によって開始される。
【００３１】
本開示を読むことにより、他の修正は当業者にとって明らかであろう。このような修正は、固定及び携帯通信システム並びにそれらに組み込まれるシステム及び部品の設計、製造及び使用において既知であり、ここに既に記載した特徴の代わりに又はその特徴に加えて用いることができる他の特徴を含むことができる。
【図面の簡単な説明】
【図１】本発明を実現するのに適した、ビーコンのクラスタ及び携帯装置の概略構成図である。
【図２】確立した通信リンクを或るビーコンから別のビーコンに転換するための手順を示すフローチャートである。
【図３】確立した通信リンクを或るビーコンから別のビーコンに転換するための手順を示すフローチャートである。
【図４】確立した通信リンクを或るビーコンから別のビーコンに転換するための手順を示すフローチャートである。
【図５】確立した通信リンクを或るビーコンから別のビーコンに転換するための手順を示すフローチャートである。
【図２】
2004509558.tif 000003
【図３】
2004509558.tif 000004
【図４】
2004509558.tif 000005
【図５】
2004509558.tif 000006
【国際公開パンフレット】
2004509558.tif 000007
2004509558.tif 000008
2004509558.tif 000009
2004509558.tif 000010
2004509558.tif 000011
2004509558.tif 000012
2004509558.tif 000013
2004509558.tif 000014
2004509558.tif 000015
2004509558.tif 000016
2004509558.tif 000017
2004509558.tif 000018
2004509558.tif 000019
2004509558.tif 000020
2004509558.tif 000021
2004509558.tif 000022
2004509558.tif 000023
2004509558.tif 000024
2004509558.tif 000025
2004509558.tif 000026
【国際公開パンフレット（コレクトバージョン）】
2004509558.tif 000027
2004509558.tif 000028
【国際調査報告】
2004509558.tif 000029
2004509558.tif 000030
2004509558.tif 000031